(57)【特許請求の範囲】
【請求項１】
横壁と両側の縦壁とを備え、前記両側の縦壁間に開口部を形成すると共に、前記両側の縦壁の少なくとも１つの内部に導体が設けられた配電ダクトに取付けられ、
前記配電ダクト内に係止される装着部と、
前記配電ダクトの外側に位置する露出部とを備え、
前記露出部には所定の装置が取付け可能なアタッチメントであって、
操作先端部側が前記配電ダクトの前記開口部側から該開口部より離れる方向へ回動可能な第１操作部と、前記開口部と平行に押圧される第２操作部とを備え、
前記第１操作部と前記第２操作部とはいずれも前記露出部の前記配電ダクトの前記両側の縦壁のいずれか一方側に配置され、
前記第２操作部は前記第１操作部の回動範囲の途中で該第１操作部の回動を規制し、
前記第１操作部は、前記第２操作部が押圧されることにより、係止解除位置に回動可能となり、
前記第１操作部を前記係止解除位置に回動することにより、前記係止が解除されるように構成したことを特徴とするアタッチメント。
【請求項２】
前記第１操作部が前記開口部から離れる方向へ回動するにしたがって、前記アタッチメントのスライドを規制するスライド規制位置、前記アタッチメントのスライドを可能とするスライド可能位置、前記係止が解除される前記係止解除位置が設定されていることを特徴とする請求項１記載のアタッチメント。
【請求項３】
前記係止解除位置とする時のみ、前記第２操作部の押圧を必要とすることを特徴とする請求項２記載のアタッチメント。
【請求項４】
前記スライド可能位置で前記第２操作部が前記第１操作部の回動を規制することを特徴とする請求項２記載のアタッチメント。
【請求項５】
前記係止解除位置で前記第１操作部が前記開口部に略垂直になることを特徴とする請求項１〜３のいずれか１項記載のアタッチメント。
【発明の詳細な説明】
【技術分野】
【０００１】
本発明は、配電ダクトに取付けられるアタッチメントに関する。
【背景技術】
【０００２】
従来、この種のものとして、内部に複数の導体が収容された配電ダクトに、電気的及び機械的に接続される配電ダクト用プラグであって、配電ダクトの内部に挿着されて配電ダクトに係止される挿着部と、挿着部に連設されて配電ダクトの外部に露出する露出部とからなるプラグ本体を備え、プラグ本体には、挿着部を配電ダクトに機械的に係止させるための機械的係止手段が設けられている配電ダクト用プラグ（例えば特許文献１）がある。
【０００３】
前記機械的係止手段は、挿着部の外方に突出して配電ダクトの開口部周縁の被係止部に係止可能な係止部と、露出部に設けられた係止用操作部とからなる。係止用操作部は回転操作される係止レバーで構成されており、係止レバーを一方向に首降り回転させると、係止部が挿着部の外側に突出し、戻すと挿着部の内側に引き込まれるように構成されている。前記係止レバーは、回転軸部を操作する導電用操作部の切り替えつまみとは独立しおり、露出部に設けられる切り替えつまみと係止レバーとは、互いに近接配置されており、挿着部を配電ダクトに機械的に係止し且つ導電部を配電ダクトの導体に電気的に接続した状態では、係止レバーを動かないようにロックするためのロック手段が設けられている。
【０００４】
上記配電ダクト用プラグでは、配電ダクトにプラグ本体を取り付ける場合、係止レバーを回して係止部を被係止部に係止した後、ロック手段である切り替えつまみを回して係止レバーが回動しないようにロックし、一方、配電ダクトからプラグ本体を取り外す場合、切り替えつまみを回して係止レバーのロックを解除した後、係止レバーを回すというように、切り替えつまみと係止レバーとを独立して操作する必要があり、着脱作業が煩雑になるという問題がある。
【０００５】
また、プラグ本体は配電ダクトに吊設されるから、作業者は上方のプラグ本体を操作することになり、作業に制約を受けるため、上記配電ダクト用プラグでは、プラグ本体の着脱操作を片手で行うことは困難であった。
【先行技術文献】
【特許文献】
【０００６】
【特許文献１】特開２００１−１５５５３４号公報
【発明の概要】
【発明が解決しようとする課題】
【０００７】
そこで、本発明は上記した問題点に鑑み、ロック状態からの着脱操作を簡便に行うことができるアタッチメントを提供することを目的とする。
【課題を解決するための手段】
【０００８】
上記目的を達成するために、請求項１に係る発明は、横壁と両側の縦壁とを備え、前記両側の縦壁間に開口部を形成すると共に、前記両側の縦壁の少なくとも１つの内部に導体が設けられた配電ダクトに取付けられ、前記配電ダクト内に係止される装着部と、前記配電ダクトの外側に位置する露出部とを備え、前記露出部には所定の装置が取付け可能なアタッチメントであって、操作先端部側が前記配電ダクトの前記開口部側から該開口部より離れる方向へ回動可能な第１操作部と、前記開口部と平行に押圧される第２操作部とを備え、前記第１操作部と前記第２操作部とはいずれも前記露出部の前記配電ダクトの前記両側の縦壁のいずれか一方側に配置され、前記第２操作部は前記第１操作部の回動範囲の途中で該第１操作部の回動を規制し、前記第１操作部は、前記第２操作部が押圧されることにより、係止解除位置に回動可能となり、前記第１操作部を前記係止解除位置に回動することにより、前記係止が解除されるように構成したことを特徴とする。
【０００９】
請求項２の発明は、前記第１操作部が前記開口部から離れる方向へ回動するにしたがって、前記アタッチメントのスライドを規制するスライド規制位置、前記アタッチメントのスライドを可能とするスライド可能位置、前記係止が解除される前記係止解除位置が設定されていることを特徴とする。
【００１０】
請求項３に係る発明は、前記係止解除位置とする時のみ、前記第２操作部の押圧を必要とすることを特徴とする。
【００１１】
請求項４に係る発明は、前記スライド可能位置で前記第２操作部が前記第１操作部の回動を規制することを特徴とする。
【００１２】
請求項５に係る発明は、前記係止解除位置で前記第１操作部が前記開口部に略垂直になることを特徴とする。
【発明の効果】
【００１３】
請求項１の構成によれば、片手で操作を可能にしつつ、意に反して落下することを防ぐことができる。
【００１４】
請求項２の構成によれば、配電ダクトとともに把持し易い第１操作部によるモード切換えが可能になる。
【００１５】
請求項３の構成によれば、係止解除時以外は、第１操作部のみによる操作が可能である。
【００１６】
請求項４の構成によれば、スライド可能位置から係止解除位置に第１操作部を回動する際、第２操作部の操作が必要となり、不用意に外れることがない。
【００１７】
請求項５の構成によれば、係止解除位置が分かり易く操作し易くなる。
【図面の簡単な説明】
【００１８】
【図１】本発明の実施例１を示す第１操作部がスライド規制位置の全体斜視図である。
【図２】同上、第１操作部がスライド可能位置の全体斜視図である。
【図３】同上、第１操作部が係止解除位置のアタッチメントの斜視図である。
【図４】同上、配電ダクトの斜視図である。
【図５】同上、第１操作部及び第２操作部の動作説明図である。
【発明を実施するための形態】
【００１９】
以下、図面部を参照して、本発明のアタッチメントの実施例について説明する。
【実施例１】
【００２０】
図１〜図５は本発明の実施例１を示す。同図に示すように、アタッチメント１は、配電ダクト２に着脱自在に取り付けられ、この配電ダクト２内に係止される装着部３と、前記配電ダクト２の外側に位置する露出部４とを一体に備える。尚、配電ダクト２は、図４に示す断面部が長さ方向に連続する。
【００２１】
前記配電ダクト２は、図４に示すように、上部に配置される横壁１１と、この横壁１１の両端から下方に垂設された左右対をなす縦壁１２，１２とを一体に備え、対をなす縦壁１２，１２の下端の間に開口部１３を有しており、配電ダクト２の内部の左右両側には、導体１４が配設されている。また、配電ダクト２は、前記横壁１１の上面が車両の室内の天井などに取付けられる。
【００２２】
前記縦壁１２，１２の上部には、導光体取付部たる取付溝１５，１５が形成され、これら取付溝１５，１５に線状の導光体１５Ａ，１５Ａが圧入状態で固定されている。また、対をなす縦壁１２，１２の内面部で高さ方向中央には、導光体取付部たる取付溝１６，１６が形成され、これら取付溝１６，１６に線状の導光体１６Ａ，１６Ａが圧入状態で固定されている。尚、前記導光体１５Ａ，１６Ａは、線状の発光体である。
【００２３】
それら導光体１５Ａ，１６Ａは配電ダクト２の略全長に設けられている。また、前記導光体１５Ａは、前記横壁１１と縦壁１２の角部近傍に配置され、前記横壁１１の上面が車両の室内の被取付面である天井に取り付けた場合、その被取付面を照らすものであり、一方、配電ダクト２の内部の導光体１６Ａは、配電ダクト２内を照らすものである。
【００２４】
また、前記取付溝１６，１６の下部位置から内方に向かって略水平に係止受け部１７，１７が突設され、これら係止受け部１７，１７に装着部３の後述する係止部が係止する。
【００２５】
前記装着部３は、平面視長方形状の装着部ケース２１（図３）を備え、合成樹脂などからなる。前記装着部ケース２１は、前記縦壁１２，１２に対向する側面部２２，２２に、前記導体１４，１４に電気的に接続可能な導電部２３，２３を有する。また、前記導電部２３は装着部ケース２１に出没可能に設けられている。
【００２６】
前記装着部ケース２１の下部には、前記露出部４の露出部ケース３１が一体に設けられ、この露出部ケース３１は合成樹脂などからなる。前記露出部ケース３１は、前記開口部１３に比べて左右幅が大きく、左，右の側面部３２，３２と前，後の側面部３３，３３とを有し、下面部３４は、中央側が下方に突出するように凸状の湾曲面に形成され、上面部３５を有する。
【００２７】
前記露出部ケース３１の下面部３４に、所定の装置が選択的に取付けられる。この例の装置はスポットライト４１である。このスポットライト４１を取り付ける装置取付部（図示せず）が前記下面部３４の中央に突設されている。前記スポットライト４１は、前記装置取付部に取付ける取付基部４２を有し、この取付基部４２を前記装置取付部に外嵌し、前記取付基部４２に設けた止め具たる螺子４３を、前記装置取付部に圧接又は螺合することにより、前記下面部３４にスポットライト４１が取り付けられる。
【００２８】
前記スポットライト４１は、前記取付基部４２にハンドル４２Ａを一体に備え、装着部３に対して水平回動に設けられている。この場合、例えば、前記装置取付部を下面部３４に回動可能に設ければよい。また、取付基部４２には、筒状のライト本体４４が角度調整可能に取り付けられている。
【００２９】
前記ライト本体４４は、ＬＥＤなどの光源（図示せず）を内蔵し、先端側にレンズ４５を備え、前記導電部２３と前記光源が電気的に接続されている。
【００３０】
したがって、導体１４と該導体１４に接続した導電部２３から供給された電気により、スポットライト４１が発光する。また、導光体１５Ａ，１６Ａを図示しない光源により発光させることにより、配電ダクト２の内外でその全長に渡って導光体１５Ａ，１６Ａが線状に発光し、従来の配電ダクトにないイルミネーション効果が得られる。また、配電ダクト２を車内に天井に取り付けた場合は、導光体１５Ａが天井を照らす間接照明になる。尚、前記導体１４には、自動車の車載電源などが接続される。
【００３１】
次に、前記アタッチメント１の前記配電ダクト２への着脱構造について詳述する。前記露出部ケース３１の一方の側面部３２側には、第１操作部たるレバー５１が設けられると共に、左右往復動する第２操作部たるスライド体５２が設けられ、これらレバー５１とスライド体５２を配置する凹部５３が、露出部ケース３１の一方の側面部３２側に設けられている。また、装着部３には前記スライド体５２を外側に付勢する付勢手段（図示せず）が設けられている。尚、前記付勢手段はスライド体５２を下方にも付勢し、バネなどが例示される。
【００３２】
図５に示すように、前記レバー５１はその基端側を枢着部５４により前記装着部ケース２１に回動自在に枢着しており、レバー５１は前記凹部５３の前後幅より僅かに狭い板状部材からなる。尚、凹部５３の前後幅とは、凹部５３の前，後側面部５３Ａ，５３Ａの間隔である。
【００３３】
また、前記スライド体５２は、先端側に設けられた左右方向一方の縦面部５５と、この縦面部５５の上部に設けた上面部５６と、前記下面部３４に連続する下面部５７とを有する。そして、前記縦面部５５と下面部５７とにより、スライド体５２の操作部を構成している。尚、レバー５１の先端の操作先端部５１Ｓの両側角部には、面取り部５１Ｍ，５１Ｍが設けられている。
【００３４】
前記スライド体５２は、前記開口部１３と略平行に左右方向にスライドし、このスライドにより該スライド体５２の基部５２Ｋが前記凹部５３から露出部ケース３１内に出没可能なように設けられ、初期位置で、前記縦面部５５は前記側面部３２と略面部一となると共に、スライド体５２の下面部５７と露出部ケース３１の下面部３４が略面部一になる。尚、スライド体５２は付勢手段により外側及び下側に付勢されているが、露出部ケース３１に設けた位置決め部（図示せず）により、初期位置で、前記縦面部５５は前記側面部３２と略面部一となると共に、スライド体５２の下面部５７と露出部ケース３１の下面部３４が連続するように構成されている。
【００３５】
さらに、初期位置のスライド体５２が左右方向からの押圧のみでは動かないように規制する規制案内部が、前記露出部ケース３１に設けられている。また、前記規制案内部は、初期位置のスライド体５２が上方への押圧と左右方向への押圧とを受けたときに基部５２Ｋが露出部ケース３１内に没するように規制している。尚、前記位置決め部及び前記規制案内部は、電気などの動力が不要な機械的な構造が採用される。
【００３６】
この例では、図５（Ｂ）に示すように、前記位置決め部を兼用する規制案内部６１として、前記前，後側面部５３Ａ，５３Ａに、左右方向で前記開口部１３と平行な案内溝６２，６２を設け、この軸案内部たる案内溝６２，６２に沿って移動する前後方向の案内軸部６３を、前記スライド体５２の両側に設けており、また、前記スライド体５２は前記案内軸部６３を中心として装着部ケース２１に揺動可能に設けられている。したがって、図５（Ａ）の状態で、スライド体５２を開口部１３と平行に押し込もうとしても、規制部たる下面部３４等が邪魔をしてスライド体５２を押し込むことができず、図５（Ｂ）に示すように、スライド体５２の下面部５７を押すと、スライド体５２が案内軸部６３を中心に傾動し、下面部３４から離れるため、スライド体５２を内部に押し込むことができる。
【００３７】
前記レバー５１の枢着部５４は凹部５３の内部側に設けられ、即ち、初期位置の縦面部５５より露出部ケース３１の内部側に設けられており、図５（Ａ）の実線に示すように、開口部１３と平行な位置がレバー５１のスライド規制位置である。
【００３８】
図５（Ｂ）に示すように、前記スライド規制位置から先端側が下がるようにレバー５１を回動し、レバー５１がスライド体５２に当接又は近接した位置がスライド可能位置であり、このスライド可能位置では、レバー５１の下側への回動がスライド体５２により規制され、レバー５１は下側への回動できず、上側のみに回動することができる。尚、スライド可能位置のレバー５１は、開口部１３に対して、４５度以下、特に１０〜４０度程度とすることが操作性の面から好ましい。尚、図５（Ａ）の実線に示すレバー５１は、開口部１３と平行であり、開口部１３に対する角度が０度である。
【００３９】
前記スライド規制位置からレバー５１を下方に回動するには、図５（Ｂ）に示すように、スライド体５２の下面部５７を上向きに押すと、基部５２Ｋが上側になるようにスライド体５２が傾動し、これにより前記下面部３４等による規制が解除され、スライド体５２を露出部ケース３１内に押し込むことができる。尚、前記付勢手段はスライド体５２を下方にも付勢しているため、傾動した後、押し込むと、スライド体５２は上面部５６が開口部１３と略平行な姿勢に戻る。実際の操作では、スライド体５２を操作して規制案内部６１による規制を解除し、即ちスライド体５２を押し込むことができるようになったら、レバー５１を下側に回すことにより、レバー５１に押されてスライド体５２が押し込まれる。この押し込まれた状態で、図３及び図５（Ｃ）に示すように、スライド体５２の縦面部５５が、下面部３４の凹部５３側の縁の略真下の配置となる。このようにスライド規制位置では、スライド体５２の下面部５７を押さないと、レバー５１を係止解除位置側に回すことができないため、レバー５１の誤動作を防止できる。
【００４０】
したがって、図５（Ｂ）の状態から、片手で、例えば、人差し指等によりスライド体５２を操作し、親指によりレバー５１を引き下げるように操作することにより、片手で取外し操作を簡便に行うことができる。
【００４１】
また、前記枢着部５４は、前記スライド規制位置、前記スライド可能位置、係止解除位置で前記レバー５１にクリック感を与えるものであり、レバー５１は、前記スライド規制位置、前記スライド可能位置、前記係止解除位置から回動する際に、各位置の間を回動する際よりも大きな力が必要となるように構成されている。この場合、各位置において、相互に係合するクリック突起とクリック凹部の一方をレバー５１側に設け、他方を露出部ケース３１に設けることができる。そして、レバー５１を各位置に回動することにより、それぞれのモードに設定される。
【００４２】
図３に示すように、前記装着部ケース２１の前記側面部２２，２２には、前記配電ダクト２の係止受け部１７，１７に係止する係止部２４，２４が設けられている。この係止部２４は連動機構（図示せず）により前記レバー５１の回動に連動する。尚、連動機構には機械的な機構を採用することができる。
【００４３】
具体的には、前記係止部２４は出没及び上下に移動可能であり、前記スライド規制位置では、係止部２４が係止受け部１７の上面部に圧接することにより、アタッチメント１のスライドを禁止する。
【００４４】
また、スライド可能位置では、係止部２４が係止受け部１７から離れるように上方に僅かに移動して離れると共に、導電部２３が装着部ケース２１内に没し、アタッチメント１が配電ダクト２の長さ方向にスライド可能になる。この場合、係止部２４は係止受け部１７と平面部視において重なり合う部分があるから、アタッチメント１を配電ダクト２から取り外すことはできない。即ちアタッチメント１が外れて落ちることがない。
【００４５】
次に、前記係止解除位置では、係止部２４が装着部ケース２１内に没すると共に、導体１４も前記連動機構により装着部ケース２１内に没するため、配電ダクト２からアタッチメント１を取り外すことができる。
【００４６】
一方、取り外したアタッチメント１を配電ダクト２に取付けるには、図３の状態のアタッチメント１の装着部３を開口部１３から配電ダクト２内に挿入し、開口部１３の縁部１３Ｆに露出部ケース３１の上面部３５を添わせ、レバー５１を上側に回すと、前記付勢手段によりスライド体５２が外方にスライドし、アタッチメント１がスライド可能位置になると、手を離すことができる。ここでアタッチメント１を所望の位置にスライドした後、レバー５１をスライド規制位置まで回すことにより、アタッチメント１が位置固定される。
【００４７】
このように本実施例では、請求項１に対応して、横壁１１と両側の縦壁１２，１２とを備え、両側の縦壁１２，１２間に開口部１３を形成すると共に、両側の縦壁１２，１２の少なくとも１つの内部に導体１４が設けられた配電ダクト２に取付けられ、配電ダクト２内に係止される装着部３と、配電ダクト２の外側に位置する露出部４とを備え、露出部４には所定の装置たるスポットライト４１が取付け可能なアタッチメント１であって、操作先端部５１Ｓ側が配電ダクト２の開口部１３側から該開口部１３より離れる方向へ回動可能な第１操作部たるレバー５１と、開口部１３と平行に押圧される第２操作部たるスライド体５２とを備え、レバー５１とスライド体５２とはいずれも露出部４の配電ダクト２の両側の縦壁１２，１２のいずれか一方側に配置され、スライド体５２はレバー５１の回動範囲の途中で該レバー５１の回動を規制し、レバー５１は、スライド体５２が押圧されることにより、係止解除位置に回動可能となり、レバー５１を係止解除位置に回動することにより、前記係止が解除されるように構成したから、片手で操作を可能にしつつ、意に反して落下することを防ぐことができる。
【００４８】
このように本実施例では、請求項２に対応して、第１操作部たるレバー５１が開口部１３から離れる方向へ回動するにしたがって、アタッチメント１のスライドを規制するスライド規制位置、アタッチメント１のスライドを可能とするスライド可能位置、前記係止が解除される係止解除位置が設定されているから、配電ダクト２とともに把持し易いレバー５１によるモード切換えが可能になる。
【００４９】
このように本実施例では、請求項３に対応して、係止解除位置とする時のみ、第２操作部たるスライド体５２の押圧を必要とするから、係止解除時以外は、レバー５１のみによる操作が可能である。
【００５０】
このように本実施例では、請求項４に対応して、前記スライド可能位置で第２操作部たるスライド体５２が第１操作部たるレバー５１の回動を規制するから、スライド可能位置から係止解除位置にレバー５１を回動する際、スライド体５２の操作が必要となり、アタッチメント１が不用意に外れることがない。
【００５１】
このように本実施例では、請求項５に対応して、前記係止解除位置で第１操作部たるレバー５１が開口部１３に略垂直になるから、係止解除位置が分かり易く操作し易くなる。      
【００５２】
以下、実施例上の効果として、配電ダクト２の内外でその全長に渡って導光体１５Ａ，１６Ａを設けたから、それら導光体１５Ａ，１６Ａが線状に発光し、従来の配電ダクトにないイルミネーション効果が得られる。また、図１に示すように、スライド規制位置でレバー５１の操作先端部５１Ｓは、凹部５３の外側に位置しているから、操作し易い。
【００５３】
また、初期位置のスライド体５２が左右方向からの押圧のみでは動かないように規制する規制案内部を設け、前記規制案内部は、初期位置のスライド体５２が上方への押圧と左右方向への押圧とを受けたときに基部５２Ｋが露出部ケース３１内に没するように規制しているから、誤作動を防止できる。さらに、スライド体５２を操作して前記規制案内部の解除を解除し、即ちスライド体５２を押し込むことができるようになったら、レバー５１を下側に回すことにより、レバー５１に押されてスライド体５２が押し込まれるため、片手で容易に操作できる。また、前記スライド規制位置、前記スライド可能位置、前記係止解除位置で前記レバー５１にクリック感を得られるから、レバー５１を直感的に操作することができる。また、レバー５１が係止解除位置で、スライド体５２の縦面部５５は、下面部３４の凹部５３側の縁の真下の配置となり、スライド体５２が略露出部ケース３１内に没する。さらに、装着部ケース２１に規制案内部６１を設けることにより、スライド規制位置では、スライド体５２の下面部５７を上側に押さないと、レバー５１を係止可能位置側に回すことができないため、レバー５１の誤動作を防止でき、これによりアタッチメント１が不用意に配電ダクト２から外れることを防止できる。
【００５４】
尚、本発明は、本実施例に限定されるものではなく、本発明の要旨の範囲内で種々の変形実施が可能である。例えば、所定の装置としては、アナログ時計、扇風機や携帯端末のホルダーなどが例示される。また、スライド規制位置、スライド可能位置、前記係止解除位置における第１操作部の角度は適宜選定可能である。さらに、アタッチメントを配電ダクトに位置固定する位置固定手段は、実施例の係止受け部１７と係止部２４に限らず、各種の構造を用いることができる。また、実施例では、線状の発光体として、導光体を例示したが、線状の電気照明体、例えば線状ＬＥＤなどでもよい。また、実施例では、好適な例として、配電ダクトを自動車などの車両の天井に設ける例を示したが、配電ダクトを、建物の室内の天井や室外の梁の下などに設けてもよい。さらに、規制案内部は各種の構造のものを採用することができる。
【符号の説明】
【００５５】
１  アタッチメント
２  配電ダクト
３  装着部
４  露出部
１１  横壁
１２  縦壁
１３  開口部
１４  導体
４１  スポットライト（所定の装置）
５１  レバー（第１操作部）
５１Ｓ  操作先端部
５２  スライド体（第２操作部）
【図１】
0006549512.tif 000002
【図２】
0006549512.tif 000003
【図３】
0006549512.tif 000004
【図４】
0006549512.tif 000005
【図５】
0006549512.tif 000006